(57)【特許請求の範囲】
【請求項１】
鋼矢板と、鋼矢板の長手方向に補剛用部材を添わせて構成された組合せ鋼矢板とによって構築される土留壁において、
前記補剛用部材は少なくとも鋼矢板１枚以上の間隔を有して設置され、前記補剛用部材と補剛用部材の間に補剛用部材に接触しないように鋼矢板に当接するように梁部材が配設された土留壁。
【請求項２】
梁部材を、２本の前記補剛用部材のスパンより短く設定し、連続して圧入された鋼矢板の施工延長方向と略平行方向で、かつその両端部を前記補剛用部材に接触しないように配置したことを特徴とする請求項１記載の土留壁。
【発明の詳細な説明】
【技術分野】
【０００１】
本発明は、護岸や擁壁あるいは地下構造物を構築する際などに築造される土留壁に関するものである。
【背景技術】
【０００２】
一般に地下構造物を構築する際、構造物を設置する位置に構造物を囲むように土留壁を築造し、土留壁前面の土砂を排出して構造物を築造する。その際に用いる土留壁の構造には、鋼矢板や鋼管矢板が広く用いられている。
土留壁には、土圧や水圧が作用するが、地盤条件や使用条件によってそれら圧力の大きさは異なる。しかし鋼矢板等はサイズ毎に剛性が一定であるため、場合によっては土圧や水圧より土留壁の剛性の方が過大となり、結果として土留壁の築造が不経済となることがある。
【０００３】
そこで、特許文献１記載の発明のように、鋼矢板の長手方向に形鋼を添わせた組合せ鋼矢板で土留壁を構成し、この形鋼に当接して腹起し（梁部材）を設置した土留壁が提案されている。
【先行技術文献】
【特許文献】
【０００４】
【特許文献１】特開２０１１−２４７０５０号公報
【０００５】
特許文献１の発明によれば、土留壁に作用する土圧や水圧に応じて適当な剛性となるように鋼矢板と形鋼の組み合わせを設定することができるので、経済的な土留壁を構築することが可能である。
【発明の概要】
【発明が解決しようとする課題】
【０００６】
しかしながら、前記特許文献１記載の発明は、腹起こし（５）が鋼矢板（２）に接していないため、形鋼（３）の設置を鋼矢板毎にせず形鋼と形鋼のスパンを大きくすると、形鋼（３）の設置されていない鋼矢板（２）は土圧や水圧によって連続壁（１）内側への横方向への変形モードが大きくなり、連続壁（１）周りの地表面沈下などが生じ、土留めや止水を目的とした壁構造としての機能が維持できなくなる恐れがある。
【０００７】
したがって、土留壁に作用する土圧や水圧に応じた最適な剛性の構造とはならず、組合せ鋼矢板の選定の幅に制約を受けるという課題がある。
【０００８】
本発明は、上記のような従来の土留壁の課題を解決するもので、鋼矢板と組合せ鋼矢板と梁部材を組み合わせることにより、土圧や水圧に応じた最適な剛性の構造の土留壁を構築でき、土留壁の材料費や施工費を低減する経済的な土留壁を提供することを目的とする。
【課題を解決するための手段】
【０００９】
請求項１に記載の発明は、鋼矢板と、鋼矢板の長手方向に補剛用部材を添わせて構成された組合せ鋼矢板とによって構築される土留壁において、前記補剛用部材は少なくとも鋼矢板１枚以上の間隔を有して設置され、前記補剛用部材と補剛用部材の間に補剛用部材に接触しないように鋼矢板に当接するように梁部材が配設された土留壁である。
【００１０】
請求項２に記載の発明は、梁部材を、２本の前記補剛用部材のスパンより短く設定し、連続して圧入された鋼矢板の施工延長方向と略平行方向で、かつその両端部を前記補剛用部材に接触しないように配置した土留壁である。
【発明の効果】
【００１１】
本発明の土留壁によれば、土圧や水圧に応じた最適な剛性の構造の土留壁を構築できるため、土留壁の材料費や施工費の低減をはかることができる。
また、従来の控え式鋼矢板壁構造とは異なり、鋼矢板の施工延長上に補剛用部材を沿わせた組合せ鋼矢板を配置する構造となっている。
従来の控え工であれば、控え杭を離散的に配置するためには、バイブロハンマー工法などを用いる必要があったが、本発明では、鋼矢板を先行打設して、鋼矢板から反力を取ることで圧入工法により鋼管を施工することが可能となる。また、タイ材により控え工に作用する力を伝達する必要もなく、背面側のスペースを省略した上で変位を低減する壁体が構築できる。
さらに梁部材は、補剛用部材に接触しないように配設されているため、梁部材を短くすることができ材料費の低減が図れると共に施工が容易となり、かつ梁部材と補剛用部材との接点の局部応力発生が防止できるのである。
【図面の簡単な説明】
【００１３】
【図１】本発明の土留壁の実施形態１の平面図
【図２】本発明の土留壁の実施形態１の側面図
【図３】本発明の土留壁の実施形態２の梁部材の設置例を示す平面図
【図４】本発明の土留壁の実施形態３の梁部材の設置例を示す平面図
【発明を実施するための形態】
【００１４】
本発明の実施形態１の土留壁を図１及び図２に基づいて説明する。
土留壁１は、複数のハット形鋼矢板３を連続して地中に圧入し、鋼矢板３の山部３ｂと谷部３ａとが繰り返した略波状に形成された壁体２によって構築されている。前記壁体２の一部の鋼矢板３の谷部３ａに、補剛用部材である鋼管杭４を鋼矢板３の長手方向に添わせて構成した組合せ鋼矢板５を配設してなる。
【００１５】
前記鋼管杭４は、前記連続して圧入された鋼矢板の一部の鋼矢板３の谷部３ａに一定のスパンＳを有して離散的に設けられている。
【００１６】
前記鋼管杭４が設けられていない鋼矢板３に、壁体２の横方向の変形を抑えるためにＨ形鋼よりなる梁部材６を鋼管杭４，４の間に配置する。
この梁部材６は、２本の鋼管杭４，４のスパンＳより短く設定し、前記鋼管杭４と直交する方向（水平方向）で、かつその両端部を前記鋼管杭４に当接するように配置したものである。
また、図２に示すように、この梁部材６は、壁体２の横方向の変形に応じて掘削深さＨに対し、任意の間隔ｈ１、ｈ２、・・ｈｎを有して必要とされる段数を入れることができる。
【００１７】
上記のように構成した実施形態１によれば、鋼管杭４と梁部材６の作用によって、土留壁１の外側（図１上方）よりかかる土圧や水圧に対し十分な強度を有するため、壁体２の内側への変形を抑えると共に土留壁として十分な効果を発揮できる。
【００１８】
さらに鋼管杭４を利用して容易に梁部材６が設置できると共に、鋼矢板３の土留壁２内側への横方向の変位を抑制できるので鋼管杭４のスパンＳを大きくすることができる。
また、作用する土圧や水圧に応じた強度に過不足ない剛性の土留壁１を自由に構築できるため、鋼材数量の適正化が図れ無駄な材料の削減等コストが低減でき経済的である。
【００１９】
前記実施形態１では、鋼矢板３としてハット形鋼矢板を使用したが、これに限定されずＵ形鋼矢板やＺ形鋼矢板等も用いることもできる。ただし、ハット形鋼矢板は、Ｕ形鋼矢板やＺ形鋼矢板に比べて施工性に優れ、工費縮減、工期短縮を図ることができる。また、ハット形鋼矢板は継手部分で長手方向のズレが発生せず断面性能が効率的かつ明確で、鋼矢板で構築した壁体の凹凸数に対する継手の箇所数もＵ形鋼矢板やＺ形鋼矢板などの各種鋼矢板の中で最小となるため、鋼管と鋼矢板を組み合せた壁体をより安定的な構造とし、施工の管理や精度の確保を容易にする効果が期待できる。このため、鋼矢板壁を構築するためにはハット形鋼矢板を用いることが好ましい。
鋼管杭４の代わりにＨ形鋼やＩ形鋼等も適用可能である。ただし、鋼管を用いれば、地中内に回転貫入させることが可能であり、施工性が向上する。
また、梁部材６に用いる材料はＨ形鋼などの鋼材のほか、コンクリート柱材や木材等でも良く、さらに梁部材６と鋼管杭４の固定は溶接のほかボルト接合等も適用できる。
【００２０】
組合せ鋼矢板５の構築方法としては、予め鋼矢板３と鋼管杭４を一体に接合して構成することもできるが、それらを別々に地中に打設した後両者を接合しても良い。前者の施工ではバイブロハンマーを用いて打設すればよく、後者の場合は杭圧入引抜機を利用した施工ができる。
別々に施工するのであれば、鋼矢板を先行打設して、その鋼矢板から反力を取って、補剛用部材を圧入することもできる。
【００２１】
図３は本発明の実施形態２の平面図である。
本実施形態では、梁部材６を、２本の鋼管杭４，４のスパンＳより短く設定し、前記鋼管杭４と直交する方向（水平方向）で、かつその両端部を前記鋼管杭４に接触しないように配置し、土留壁１の内側における鋼矢板３の表面に固定したものであり、その両端部が鋼管杭４，４と接触しておらず、前記実施形態１と同様の作用、効果に加え、材料の使用量の低減が図れると共に、施工が容易となり、かつ梁部材６と鋼管杭４との接点から生じる局部応力の発生が防止できるのである。
また、前記鋼管杭４と梁部材６の端部との距離Ｄは、壁体２の強度を保ち変形を防止するために、鋼矢板１枚分の幅より小さくすることが望ましい。
【００２２】
図４は本発明の実施形態３の平面図である。
本実施形態では、梁部材６を鋼管杭４，４の間に配置された状態で鋼矢板３の表面外側に固定したものであり、その両端部が鋼管杭４，４と接触しておらず、前記実施形態２と同様の作用、効果を奏する。
【符号の説明】
【００２３】
１  土留壁
２  壁体
３  鋼矢板
４  鋼管杭（補剛用部材）
５  組合せ鋼矢板
６  梁部材
【図１】
0005939622.tif 000002
【図２】
0005939622.tif 000003
【図３】
0005939622.tif 000004
【図４】
0005939622.tif 000005